(57)【要約】【課題】ＰＢＰの各画面を自由に拡大縮小でき、また、リセット処理無しで、初期状態に戻すことができるようにする。【解決手段】入力部２０１と、画サイズ設定部２０２と、映像制御部２０３を備える。入力部２０１は、サイズ変更の対象となる画面領域を指定し、サイズ変更指示を入力する。画サイズ設定部２０２は、サイズ変更指示に応じて、画面全体に対する各画面領域の大きさの割合を決定し、画面全体に対する各画面領域の大きさの割合に基づいて、各画面領域の大きさを設定する。映像制御部２０３は、複数の系統の映像信号を前記大きさが設定された各画面領域に表示するように合成する。【選択図】図１１
2017156594.tif 000002
【特許請求の範囲】
【請求項１】
全体画面を複数の画面領域に分割し、複数の系統の映像信号を前記複数の画面領域にそれぞれ表示するように制御する表示制御装置であって、
サイズ変更の対象となる画面領域を指定し、サイズ変更指示を入力する入力部と、
前記サイズ変更指示に応じて、画面全体に対する各画面領域の大きさの割合を決定し、当該画面全体に対する各画面領域の大きさの割合に基づいて、各画面領域の大きさを設定する画サイズ設定部と
複数の系統の映像信号を前記設定された大きさの各画面領域に表示するように合成する映像制御部と、
を備えることを特徴とする表示制御装置。
【請求項２】
前記画サイズ設定部は、全体画面の水平方向の長さに対する各画面領域の水平方向の長さの割合を決定し、当該全体画面の水平方向の長さに対する各画面領域の水平方向の長さの割合に基づいて、複数の画面領域を水平方向に並べて表示する
ことを特徴とする請求項１に記載の表示制御装置。
【請求項３】
前記画サイズ設定部は、全体画面の垂直方向の長さに対する各画面領域の垂直方向の長さの割合を決定し、当該全体画面の垂直方向の長さに対する各画面領域の垂直方向の長さの割合に基づいて、複数の画面領域を垂直方向に並べて表示する
ことを特徴とする請求項１に記載の表示制御装置。
【請求項４】
全体画面を複数の画面領域に分割して表示する表示装置の画サイズ設定方法であって、
サイズ変更の対象となる画面領域を指定し、サイズ変更指示を入力する工程と、
前記サイズ変更指示に応じて、画面全体に対する各画面領域の大きさの割合を決定し、当該画面全体に対する各画面領域の大きさの割合に基づいて、各画面領域の大きさを設定する工程と
複数の系統の映像信号を前記設定された大きさの各画面領域にそれぞれ表示する工程と、
を含むことを特徴とする画サイズ設定方法。
【請求項５】
全体画面を複数の画面領域に分割して表示する表示装置の画サイズ設定プログラムであって、
サイズ変更の対象となる画面領域を指定し、サイズ変更指示を入力するステップと、
前記サイズ変更指示に応じて、画面全体に対する各画面領域の大きさの割合を決定し、当該画面全体に対する各画面領域の大きさの割合に基づいて、各画面領域の大きさを設定するステップと、
を含むことを特徴とするコンピュータにより実行可能なプログラム。
【発明の詳細な説明】
【技術分野】
【０００１】
本発明は、表示制御装置、画サイズ設定方法、及びプログラムに関する。
【背景技術】
【０００２】
ＰＢＰ（Ｐｉｃｔｕｒｅ  Ｂｙ  Ｐｉｃｔｕｒｅ；ピクチャー・バイ・ピクチャー）機能は、表示装置の一画面を複数に分割し、分割画面毎に、映像を表示するものである（例えば、特許文献１）。ＰＢＰ機能を有する表示装置では、複数台の表示装置を並べたのと同様に、一画面中に複数の画像を同時に表示できる。また、このようなＰＢＰ機能を有する表示装置で、画面の大きさを変更できるものがある。この場合、通常、１つの画面を拡大又は縮小し、空きの領域の中で、残りの画面の大きさを決定している。
【先行技術文献】
【特許文献】
【０００３】
【特許文献１】特開２００５−２０７４３号公報
【発明の概要】
【発明が解決しようとする課題】
【０００４】
しかしながら、１つの画面を拡大又は縮小し、空きの領域の中で残りの画面の大きさを決定して、画面の拡大又は縮小を行うようにすると、画面の大きさを初期状態に戻せなくなるという問題が生じてくる。このことについて、図１２から図１５を用いて説明する。
【０００５】
図１２に示すように、１画面は、３つの画面Ａと画面Ｂと画面Ｃとに分割されているとする。また、各画面の大きさは、ＯＳＤ（Ｏｎ  Ｓｃｒｅｅｎ  Ｄｉｓｐｌａｙ；オンスクリーンディスプレイ）表示されるゲージ１０１を操作することで、拡大又は縮小できるものとする。すなわち、例えば、画面Ａを選択して、ゲージ１０１を右に移動させると、画面Ａは拡大し、ゲージ１０１を左に移動させると、画面Ａは縮小する。
【０００６】
図１２に示すように、初期値では、画面Ａと画面Ｂと画面Ｃは、全体の画面を三等分した大きさとなっている。すなわち、画面Ａ、画面Ｂ、画面Ｃの大きさは、全て、全体の３３．３％の大きさとなっている。
【０００７】
図１２において、画面Ａを選択して、ゲージ１０１を右に動かし、画面Ａを拡大したとする。このような操作を行うと、図１３に示すように、画面Ａの大きさがゲージ１０１の位置に応じて拡大されていく。画面Ａを拡大すると、画面Ｂと画面Ｃの大きさは、パネル内の空き領域を均等に使用し、自動的に縮小される。この場合、映像のアスペクト比を維持するため、各画面の縦方向の大きさは、一義的に決定される。ここでは、画面Ａの大きさを全体の４３．２％に設定したとする。画面Ｂ及び画面Ｃの大きさは、画面Ａの大きさを全体の４３．２％に設定した空き領域に均等に割り当てられ、２８．４％となる。
【０００８】
次に、図１３において、画面Ｂを選択し、ゲージ１０１を右に動かしたとする。このような操作により、図１４に示すように、画面Ｂの大きさがゲージ１０１の位置に応じて拡大されていく。画面Ａと画面Ｃの大きさは、パネル内の空き領域を均等に使用し、自動的に縮小される。ここでは、画面Ｂの大きさを全体の４６．３％に設定したとする。画面Ａ及び画面Ｃの大きさは、画面Ｂの大きさを全体の４６．２％に設定した空き領域に割り当てられ、それぞれ、３２．４％及び２１．３％となる。
【０００９】
その後、画面Ｂを選択し、ゲージ１０１を左に動かし、画面Ｂの大きさを初期値（３３．３％）に戻したとする。この場合、図１５に示すように、画面Ａと画面Ｃは、空きの領域を使用し、かつ、現在の大きさの比を維持しながら、自動的に拡大される。この状態になると、１つの画面の大きさを変えると、他の２つの画面の大きさがこれに連動して、拡大又は縮小するため、初期値の画面の大きさ（画面Ａ、画面Ｂ、画面Ｃの大きさが全て３３．３％の状態に戻せなくなる。
【００１０】
このように、１つの画面を拡大又は縮小し、空きの領域の中で残りの画面の大きさを決定して、画面の拡大又は縮小を行うようにすると、１つの画面の大きさを変えると、他の２つの画面の大きさがこれに連動して拡大又は縮小するため、各画面の大きさが異なった状態になると、画面の大きさを初期状態に戻せなくなる。このため、初期値に戻すためのリセット・ボタンをつけたり、開始時に常に初期値に戻したりするような手法が必要になる。
【００１１】
上述の課題を鑑み、本発明の目的は、ＰＢＰの各画面を自由に拡大縮小でき、また、リセット処理無しで、初期状態に戻すことができる表示制御装置、画サイズ設定方法、及びプログラムを提供することを目的とする。
【課題を解決するための手段】
【００１２】
上述の課題を鑑み、本発明の一態様に係る表示制御装置は、全体画面を複数の画面領域に分割し、複数の系統の映像信号を前記複数の画面領域にそれぞれ表示するように制御する表示制御装置であって、サイズ変更の対象となる画面領域を指定し、サイズ変更指示を入力する入力部と、前記サイズ変更指示に応じて、画面全体に対する各画面領域の大きさの割合を決定し、当該画面全体に対する各画面領域の大きさの割合に基づいて、各画面領域の大きさを設定する画サイズ設定部と、複数の系統の映像信号を前記設定された大きさの各画面領域に表示するように合成する映像制御部とを備えることを特徴とする。
【００１３】
本発明の一態様に係る画サイズ設定方法は、全体画面を複数の画面領域に分割して表示する表示装置の画サイズ設定方法であって、サイズ変更の対象となる画面領域を指定し、サイズ変更指示を入力する工程と、前記サイズ変更指示に応じて、画面全体に対する各画面領域の大きさの割合を決定し、当該画面全体に対する各画面領域の大きさの割合に基づいて、各画面領域の大きさを設定する工程と、複数の系統の映像信号を前記設定された大きさの各画面領域にそれぞれ表示する工程とを含むことを特徴とする。
【００１４】
本発明の一態様に係るプログラムは、全体画面を複数の画面領域に分割して表示する表示装置の画サイズ設定プログラムであって、サイズ変更の対象となる画面領域を指定し、サイズ変更指示を入力するステップと、前記サイズ変更指示に応じて、画面全体に対する各画面領域の大きさの割合を決定し、当該画面全体に対する各画面領域の大きさの割合に基づいて、各画面領域の大きさを設定するステップとを含むことを特徴とする。
【発明の効果】
【００１５】
本発明によれば、画面全体に対する各画面領域の大きさの割合を決定して各画面領域の大きさを設定することで、一つの制御パラメータで、三画面以上のＰＢＰ画面を自由に拡大縮小でき、また、リセット処理無しで、初期状態に戻すことができる。
【図面の簡単な説明】
【００１６】
【図１】本発明の第１の実施形態に係る表示システムの構成を示すブロック図である。
【図２】本発明の第１の実施形態に係る表示システムにおけるＰＢＰ制御装置の構成を示すブロック図である。
【図３】本発明の第１の実施形態に係る表示システムにおける画サイズ設定の説明図である。
【図４】本発明の第１の実施形態に係る表示システムにおける画サイズ設定の説明図である。
【図５】本発明の第１の実施形態に係る表示システムにおける画サイズ設定の説明図である。
【図６】本発明の第１の実施形態に係る表示システムにおける画サイズ設定の説明図である。
【図７】本発明の第１の実施形態に係る表示システムにおける画サイズ設定の説明図である。
【図８】本発明の第１の実施形態に係る表示システムにおける画サイズ設定の説明に用いるフローチャートである。
【図９】本発明の第１の実施形態に係る表示システムの変形例の説明図である。
【図１０】本発明の第１の実施形態に係る表示システムの変形例の説明図である。
【図１１】本発明による表示装置の基本構成を示す概略ブロック図である。
【図１２】画サイズ設定の説明図である。
【図１３】画サイズ設定の説明図である。
【図１４】画サイズ設定の説明図である。
【図１５】画サイズ設定の説明図である。
【発明を実施するための形態】
【００１７】
以下、本発明の実施の形態について図面を参照しながら説明する。図１は、本発明の実施形態に係る表示システム１の構成を示すブロック図である。図１に示すように、本発明の実施形態に係る表示システム１は、映像信号発生装置１１と、ＰＢＰ制御装置１２と、表示装置１３とから構成される。
【００１８】
映像信号発生装置１１は、マルチ画面を生成する例えば３系統の映像信号を発生する。
ＰＢＰ制御装置１２は、例えば３系統の映像信号から、ＰＢＰ（Ｐｉｃｔｕｒｅ  Ｂｙ  Ｐｉｃｔｕｒｅ）画面の映像信号を生成する。ＰＢＰ画面は、表示装置の一画面を複数に分割し、画面毎に映像を表示するものである。
表示装置１３は、ＰＢＰ制御装置１２で生成されたＰＢＰ画面を表示する。表示装置１３としては、液晶ディスプレイでも良いし、プロジェクタでも良い。また、この例では、ＰＢＰ制御装置１２と表示装置１３とを別体としているが、ＰＢＰ制御装置１２の機能を表示装置１３に内蔵させるようにしても良い。
【００１９】
図２は、ＰＢＰ制御装置１２の構成を示すブロック図である。図２に示すように、ＰＢＰ制御装置１２は、映像信号入力部２１ａ、２１ｂ、２１ｃと、映像スイッチ部２２と、映像信号制御部２３ａ、２３ｂ、２３ｃと、出力映像制御部２４と、映像出力部２５と、画面設定部２６と、入力部２７とから構成される。
【００２０】
映像信号入力部２１ａ、２１ｂ、２１ｃは、映像信号発生装置１１からの３系等の映像信号を入力する。
映像スイッチ部２２は、映像信号入力部２１ａ、２１ｂ、２１ｃからの映像信号を、合成する各画像に応じてスイッチングして、映像信号制御部２３ａ、２３ｂ、２３ｃに出力する。
映像信号制御部２３ａ、２３ｂ、２３ｃは、合成する各映像信号の処理を行い、出力映像制御部２４に出力する。
【００２１】
出力映像制御部２４は、設定された大きさに応じて、３系等の映像信号を合成してＰＢＰ画面を生成し、映像出力部２５から出力する。
画面設定部２６は、入力部２７からの設定値に応じて、合成する各画像の位置や画サイズを設定する。画面設定部２６は、画サイズ設定部として機能する。
入力部２７には、サイズ変更の対象となる画面領域を指定し、サイズ変更指示を入力する。なお、本実施形態では、入力部２７は、ＯＳＤ（Ｏｎ  Ｓｃｒｅｅｎ  Ｄｉｓｐｌａｙ）のゲージである。
【００２２】
次に、本発明の実施形態に係る表示システム１における各画面の画サイズ設定について説明する。本実施形態では、ＰＢＰの各画面の大きさを画面全体に対する各画面の大きさの割合で設定している。これにより、一つの制御パラメータで三画面以上のＰＢＰ画面を自由に拡大又は縮小でき、且つ、リセット処理無しで、初期状態に戻すことができる。このことについて、図３から図７を用いて説明する。
【００２３】
本実施形態では、各画面の比率を最初に決定し、３つの比率に合わせて、各画面の大きさを決定する。図３において、画面Ａと画面Ｂと画面Ｃとの３つの画面を表示する場合、初期値は、画面Ａと画面Ｂと画面Ｃとの大きさの比率を１：１：１とする。この場合、全体の画面を三等分した大きさで、画面Ａと画面Ｂと画面Ｃとが表示される。すなわち、全画面の横方向の大きさをＷとすると、画面Ａの横方向の大きさは（１／３）＊Ｗ、画面Ｂの横方向の大きさは（１／３）＊Ｗ、画面Ｃの横方向の大きさは（１／３）＊Ｗとなる。
なお、各画面の縦方向の大きさは、アスペクト比に応じて設定される。画面上には、ゲージ３１が表示されている。このゲージ３１により、各画面の大きさを拡大又は縮小できる。
【００２４】
図３において、画面Ａを選択して、ゲージ３１を右に動かし、画面Ａを拡大したとする。画面Ａを選択して、ゲージ３１を右に動かすと、画面Ａと画面Ｂと画面Ｃとの大きさの比率は、１ステップ毎に画面Ａの比率が１ずつ増加するように変化していく。すなわち、画面Ａと画面Ｂと画面Ｃとの大きさの比率は、例えば、１：１：１、２：１：１、３：１：１、４：１：１、５：１：１のように変化していく。
【００２５】
画面Ａを選択して、ゲージ３１を右に動かし、各画面の比率が５：１：１になったとする。この場合、画面Ａの大きさは全体の画面に対して５／７、画面Ｂの大きさは全体の画面に対して１／７、画面Ｃの大きさは全体の画面に対して１／７となる。全ての割合が決定した時点で、図４に示すように、横の大きさを基準として、それぞれ全体の５／７、１／７、１／７の割合で、画面Ａ、画面Ｂ、画面Ｃが再表示される。すなわち、全画面の横方向の大きさをＷとすると、画面Ａの横方向の大きさは（５／７）＊Ｗ、画面Ｂの横方向の大きさは（１／７）＊Ｗ、画面Ｃの横方向の大きさは（１／７）＊Ｗとなる。
再表示は、ゲージの値の変更を確定したときに行っても良いし、１ステップごとに行っても良いものとする。また、この場合、映像のアスペクト比を維持するため、各画面の縦の大きさは、一義的に決定される。
【００２６】
次に、画面Ｂを選択して、ゲージ３１を右に動かし、画面Ａを拡大したとする。画面Ｂを選択して、ゲージ３１を右に動かすと、画面Ａと画面Ｂと画面Ｃとの大きさの比率は、１ステップ毎に画面Ｂの比率が１ずつ増加するように変化していく。すなわち、画面Ａと画面Ｂと画面Ｃとの大きさの比率は、例えば、５：１：１、５：２：１、５：３：１、５：４：１、５：５：１のように変化していく。
【００２７】
画面Ｂを選択して、ゲージ３１を右に動かし、各画面の比率が５：３：１になったとする。この場合、画面Ａの大きさは全体の画面に対して５／９、画面Ｂの大きさは全体の画面に対して３／９、画面Ｃの大きさは全体の画面に対して１／９となる。全ての割合が決定した時点で、図５に示すように、横の大きさを基準として、それぞれ全体の５／９、３／９、１／９の割合で、画面Ａ、画面Ｂ、画面Ｃが再表示される。すなわち、全画面の横方向の大きさをＷとすると、画面Ａの横方向の大きさは（５／９）＊Ｗ、画面Ｂの横方向の大きさは（３／９）＊Ｗ、画面Ｃの横方向の大きさは（１／９）＊Ｗとなる。
【００２８】
その後、画面Ａを選択して、ゲージ３１を左に動かし、画面Ａを縮小したとする。画面Ａを選択して、ゲージ３１を左に動かすと、画面Ａと画面Ｂと画面Ｃとの大きさの比率は、１ステップ毎に画面Ａの比率が１ずつ減少するように変化していく。すなわち、画面Ａと画面Ｂと画面Ｃとの大きさの比率は、例えば、５：３：１、４：３：１、３：３：１、２：３：１、１：３：１のように変化していく。
【００２９】
画面Ａを選択して、ゲージ３１を左に動かし、各画面の比率が１：３：１になったとする。この場合、画面Ａの大きさは全体の画面に対して１／５、画面Ｂの大きさは全体の画面に対して３／５、画面Ｃの大きさは全体の画面に対して１／５となる。全ての割合が決定した時点で、図６に示すように、横の大きさを基準として、それぞれ全体の１／５、３／５、１／５の割合で、画面Ａ、画面Ｂ、画面Ｃが再表示される。すなわち、全画面の横方向の大きさをＷとすると、画面Ａの横方向の大きさは（１／５）＊Ｗ、画面Ｂの横方向の大きさは（３／５）＊Ｗ、画面Ｃの横方向の大きさは（１／５）＊Ｗとなる。
【００３０】
その後、画面Ｂを選択して、ゲージ３１を左に動かし、画面Ｂを縮小したとする。画面Ｂを選択して、ゲージ３１を左に動かすと、画面Ａと画面Ｂと画面Ｃとの大きさの比率は、１ステップ毎に画面Ｂの比率が１ずつ減少するように変化していく。すなわち、画面Ａと画面Ｂと画面Ｃとの大きさの比率は、例えば、１：３：１、１：２：１、１：１：１のように変化していく。
【００３１】
画面Ｂを選択して、ゲージ３１を左に動かし、各画面の比率が１：１：１になったとする。この場合、画面Ａの大きさ、画面Ｂの大きさ、画面Ｃの大きさは、全て、全体の画面に対して１／３となり、図７に示すように、初期値に戻されることになる。
このように、本実施形態では、どのような画面の大きさに設定されている状態からでも、各画面の比率を１：１：１に設定すれば、初期状態に戻すことができる。
【００３２】
図８は、本発明の実施形態に係る表示システム１での画面の大きさの制御を示すフローチャートである。
【００３３】
図８において、画面設定部２６は、画面Ａが選択されているか否かを判定する（ステップＳ１０１）。
【００３４】
画面Ａが選択されている場合には（ステップＳ１０１：Ｙｅｓ）、画面設定部２６は、ゲージ３１の操作があるか否かを判定する（ステップＳ１０２）。
【００３５】
ゲージ３１の操作がない場合には（ステップＳ１０２：Ｎｏ）、画面設定部２６は、処理をステップＳ１０１に戻す。ゲージ３１の操作がある場合には（ステップＳ１０２：Ｙｅｓ）、画面設定部２６は、ゲージ３１が右側に動かされたか、左側に動かされたかを判定する（ステップＳ１０３）。
【００３６】
ゲージ３１が右側に動かされた場合（ステップＳ１０３：Ｙｅｓ）、画面設定部２６は、画面Ａの比率を増加させる（ステップＳ１０４）。すなわち、画面設定部２６は、ゲージ３１が動かされる毎に、１：１：１、２：１：１、３：１：１、４：１：１、５：１：１のように、画面Ａの比率を増加させる。
【００３７】
ゲージ３１が左側に動かされた場合（ステップＳ１０３：Ｎｏ）、画面設定部２６は、画面Ａの比率を減少させる（ステップＳ１０５）。すなわち、画面設定部２６は、ゲージ３１が動かされる毎に、５：５：５、４：５：５、３：５：５、２：５：５、１：５：５のように、画面Ａの比率を減少させる。
【００３８】
ステップＳ１０４又はステップＳ１０５で、画面Ａの比率が設定されたら、画面設定部２６は、設定された比率に応じて、各画面の大きさを設定する（ステップＳ１０６）。すなわち、例えば、各画面の比率が１：１：１に設定されたら、画面設定部２６は、画面Ａ、画面Ｂ、画面Ｃの大きさを、画面の横方向の大きさを基準として、それぞれ、全体の１／３、１／３、１／３の割合に設定する。各画面の比率が２：１：１に設定されたら、画面設定部２６は、画面Ａ、画面Ｂ、画面Ｃの大きさを、画面の横方向の大きさを基準として、それぞれ、全体の２／４、１／４、１／４の割合に設定する。
【００３９】
ステップＳ１０６で、画面の大きさが設定されたら、画面設定部２６は、設定された大きさでＰＢＰ画面が形成されるように、各画面を表示させ（ステップＳ１０７）、ステップＳ１０１に処理をリターンする。
【００４０】
ステップＳ１０１で、画面Ａが選択されていない場合には（ステップＳ１０１：Ｎｏ）、画面設定部２６は、画面Ｂが選択されているか否かを判定する（ステップＳ１０８）。
【００４１】
画面Ｂが選択されている場合（ステップＳ１０８：Ｙｅｓ）、画面設定部２６は、ゲージ３１の操作があるか否かを判定する（ステップＳ１０９）。
【００４２】
ゲージ３１の操作がない場合には（ステップＳ１０９：Ｎｏ）、画面設定部２６は、処理をステップＳ１０８に戻す。ゲージ３１の操作がある場合には（ステップＳ１０９：Ｙｅｓ）、画面設定部２６は、ゲージ３１が右側に動かされたか、左側に動かされたかを判定する（ステップＳ１１０）。
【００４３】
ゲージ３１が右側に動かされた場合（ステップＳ１１０：Ｙｅｓ）、画面設定部２６は、画面Ｂの比率を増加させる（ステップＳ１１１）。すなわち、画面設定部２６は、ゲージ３１が動かされる毎に、１：１：１、１：２：１、１：３：１、１：４：１、１：５：１のように、画面Ｂの比率を増加させる。
【００４４】
ゲージ３１が左側に動かされた場合（ステップＳ１１０：Ｎｏ）、画面設定部２６は、画面Ｂの比率を減少させる（ステップＳ１１２）。すなわち、画面設定部２６は、ゲージ３１が動かされる毎に、５：５：５、５：４：５、５：３：５、５：２：５、５：１：５のように、画面Ｂの比率を減少させる。
【００４５】
ステップＳ１１１又はステップＳ１１２で、画面Ｂの比率が設定されたら、画面設定部２６は、ステップＳ１０６に処理を進め、設定された比率に応じて、各画面の大きさを設定する。そして、画面設定部２６は、処理をステップＳ１０７に進め、設定された大きさでＰＢＰ画面が形成されるように、各画面を表示させ、ステップＳ１０１に処理を戻す。
【００４６】
ステップＳ１０８で、画面Ｂが選択されていない場合には（ステップＳ１０８：Ｎｏ）、画面設定部２６は、画面Ｃが選択されているか否かを判定する（ステップＳ１１３）。
【００４７】
画面Ｃが選択されている場合（ステップＳ１１３：Ｙｅｓ）、画面設定部２６は、ゲージ３１の操作があるか否かを判定する（ステップＳ１１４）。
【００４８】
ゲージ３１の操作がない場合には（ステップＳ１１４：Ｎｏ）、画面設定部２６は、処理をステップＳ１１３に戻す。ゲージ３１の操作がある場合には（ステップＳ１１３：Ｙｅｓ）、画面設定部２６は、ゲージ３１が右側に動かされたか、左側に動かされたかを判定する（ステップＳ１１５）。
【００４９】
ゲージ３１が右側に動かされた場合（ステップＳ１１５：Ｙｅｓ）、画面設定部２６は、画面Ｃの比率を増加させる（ステップＳ１１６）。すなわち、画面設定部２６は、ゲージ３１が動かされる毎に、１：１：１、１：１：２、１：１：３、１：１：４、１：１：５のように、画面Ｃの比率を増加させる。
【００５０】
ゲージ３１が左側に動かされた場合（ステップＳ１１５：Ｎｏ）、画面設定部２６は、画面Ｃの比率を減少させる（ステップＳ１１７）。すなわち、画面設定部２６は、ゲージ３１が動かされる毎に、５：５：５、５：５：４、５：５：３、５：５：２、５：５：１のように、画面Ｃの比率を減少させる。
【００５１】
ステップＳ１１６又はステップＳ１１７で、画面Ｃの比率が設定されたら、画面設定部２６は、ステップＳ１０６に処理を進め、設定された比率に応じて、各画面の大きさを設定する。そして、画面設定部２６は、処理をステップＳ１０７に進め、設定された大きさでＰＢＰ画面が形成されるように、各画面を表示させ、ステップＳ１０１に処理を戻す。
【００５２】
以上説明したように、本実施形態では、ＰＢＰの各画面の大きさを画面全体に対する各画面の大きさの割合で設定している。これにより、一つの制御パラメータで三画面以上のＰＢＰ画面を自由に拡大又は縮小でき、且つ、リセット処理無しで、初期状態に戻すことができる。
【００５３】
なお、上述の例では、画面を横方向に分割しているが、図９に示すように、画面を縦方向に分割しても良い。また、上述の説明では、一画面を３つの画面に分割しているが、本発明は、図１０に示すように、三画面以上のＰＢＰの制御にも、同様に適用できる。
【００５４】
図１１は、本発明による表示制御装置２００の基本構成を示す概略ブロック図である。図１１に示すように、本発明による表示制御装置２００は、全体画面を複数の画面領域に分割して表示する表示装置であって、入力部２０１と、画サイズ設定部２０２と、映像制御部２０３を基本構成とする。入力部２０１は、サイズ変更の対象となる画面領域を指定し、サイズ変更指示を入力する。画サイズ設定部２０２は、サイズ変更指示に応じて、画面全体に対する各画面領域の大きさの割合を決定し、当該画面全体に対する各画面領域の大きさの割合に基づいて、各画面領域の大きさを設定する。映像制御部２０３は、複数の系統の映像信号を、設定された大きさの各画面領域に表示するように合成する。
【００５５】
なお、表示システム１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５６】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００５７】
１：表示システム，１１：映像信号発生装置，１２：ＰＢＰ制御装置，１３：表示装置，２１ａ，２１ｂ，２１ｃ：映像信号入力部，２２：映像スイッチ部，２３ａ，２３ｂ，２３ｃ：映像信号制御部，２４：出力映像制御部，２５：映像出力部，２６：画面設定部，２７：入力部，３１：ゲージ
【図１】
2017156594.tif 000003
【図２】
2017156594.tif 000004
【図３】
2017156594.tif 000005
【図４】
2017156594.tif 000006
【図５】
2017156594.tif 000007
【図６】
2017156594.tif 000008
【図７】
2017156594.tif 000009
【図８】
2017156594.tif 000010
【図９】
2017156594.tif 000011
【図１０】
2017156594.tif 000012
【図１１】
2017156594.tif 000013
【図１２】
2017156594.tif 000014
【図１３】
2017156594.tif 000015
【図１４】
2017156594.tif 000016
【図１５】
2017156594.tif 000017